(57)【要約】【課題】異性間におけるマッチングにおいて、クレジットカードの利用履歴情報を用いることにより、入会希望者の主観的要素を相応に排除し、分析対象とするデータに客観性を担保させ、異性間におけるマッチングの精度を向上させることである。【解決手段】本発明に係るマッチングシステムは、マッチング希望者とマッチング対象者の各々に関して、所定の期間内におけるクレジットカードの利用履歴情報を取得するカード利用履歴情報取得手段と、マッチング希望者のクレジットカードの利用履歴情報と、マッチング対象者のクレジットカードの利用履歴情報とを照合し、マッチング対象者の各々に関して、マッチング希望者との相性を評価するマッチング処理手段と、マッチング希望者との相性の良い順序に従って、マッチング対象者を紹介対象者として選択する紹介対象者選択手段とを備える。【選択図】図７
2018063535.tif 000002
【特許請求の範囲】
【請求項１】
マッチング希望者とマッチング対象者の各々に関して、所定の期間内におけるクレジットカードの利用履歴情報を取得するカード利用履歴情報取得手段と、
前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理手段と、
前記マッチング希望者との相性の良い順序に従って、前記マッチング対象者を紹介対象者として選択する紹介対象者選択手段と
を備えることを特徴とするマッチングシステム。
【請求項２】
前記マッチング処理手段は、さらに
前記マッチング希望者の前記クレジットカードの利用履歴情報と、前記マッチング対象者の前記クレジットカードの利用履歴情報の各々から、利用額の高い業種を抽出する業種抽出手段と、
前記業種抽出手段により抽出された、前記マッチング希望者の利用額の高い業種と、前記マッチング対象者の利用額の高い業種とが適合するか否かを判定する業種マッチング手段と
を備えることを特徴とする請求項１に記載のマッチングシステム。
【請求項３】
前記業種マッチング手段により、前記マッチング希望者の利用額の高い業種と、前記マッチング対象者の利用額の高い業種とが適合したことを前提に、前記適合した業種に設定されるマッチングポイントから、前記マッチング希望者と前記マッチング対象者との相性を評価することを特徴とする請求項２に記載のマッチングシステム。
【請求項４】
請求項１から請求項３のいずれか１項に記載のマッチングシステムと、
前記紹介対象者選択手段により選択された紹介対象者に関する情報を結婚情報として、前記マッチング希望者に提供する紹介対象者提供手段と
を備えることを特徴とする結婚情報提供システム。
【請求項５】
前記所定の期間が、成婚に至ったケースから、成婚率を向上させる適切な期間として逆算することにより算定されることを特徴とする請求項４に記載の結婚情報提供システム。
【請求項６】
カード利用履歴情報取得手段により、マッチング希望者とマッチング対象者の各々に関して、所定の期間内におけるクレジットカードの利用履歴情報を取得するカード利用履歴情報取得ステップと、
マッチング処理手段により、前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理ステップと、
紹介対象者選択手段により、前記マッチング希望者との相性の良い順序に従って、前記マッチング対象者を紹介対象者として選択する紹介対象者選択ステップと
を備えることを特徴とするマッチング方法。
【発明の詳細な説明】
【技術分野】
【０００１】
本発明は、マッチングシステム、マッチング方法及び結婚情報提供システムに関する。
【背景技術】
【０００２】
従来、独身の男女を対象に、条件に適合する異性との出会いの機会を提供等することで、結婚又は結婚を前提とした交際に導く、結婚相談所が数多く存在している。そのような結婚相談所には、予め登録した自身のプロフィール情報及び条件に基づいて、異性との関係で所定のデータマッチングを実行し、適合する異性（候補者）に関する情報を提供するものもある。
【０００３】
例えば、特許文献１には、入会希望者により入力された自身のプロフィール情報（例えば、「生年月日」、「血液型」、「職業」、「趣味」、「嗜好性」、「価値観」等）、異性に求める条件（例えば、「年収」、「趣味」、「身長」、「年齢」等）、及び性格検査に対する回答等を多角的に分析し、最適な候補者を供給する、結婚情報の供給システムが開示されている。
【先行技術文献】
【特許文献】
【０００４】
【特許文献１】特開２００２−２０３０３４号公報
【発明の概要】
【発明が解決しようとする課題】
【０００５】
ただし、ここで、分析対象とするデータのうち、少なくとも「趣味」、「嗜好性」等に関しては、「年齢」、「身長」、「血液型」等とは異なり、入会希望者の主観的要素が多く介在することになる。そのため、入会希望者によっては、入力（設定）した「趣味」、「嗜好性」と、実際の「趣味」、「嗜好性」が相違することもあり、結果、供給する候補者の情報に関して、適合性を担保することができないことも想定され、成婚率を向上させることができず、延いては、候補者の情報を不服として、解約、返金等のトラブルに発展する可能性もある。
【０００６】
本発明は、上記従来の問題に鑑みてなされたものであって、その目的は、異性間におけるマッチングにおいて、クレジットカードの利用履歴情報を用いることにより、入会希望者の主観的要素を相応に排除し、分析対象とするデータに客観性を担保させ、異性間におけるマッチングの精度を向上させることである。
【課題を解決するための手段】
【０００７】
本発明に係るマッチングシステムは、マッチング希望者とマッチング対象者の各々に関して、所定の期間内におけるクレジットカードの利用履歴情報を取得するカード利用履歴情報取得手段と、前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理手段と、前記マッチング希望者との相性の良い順序に従って、前記マッチング対象者を紹介対象者として選択する紹介対象者選択手段とを備えることを特徴とする。
【発明の効果】
【０００８】
本発明によれば、異性間におけるマッチングにおいて、クレジットカードの利用履歴情報を用いることにより、入会希望者の主観的要素を相応に排除し、分析対象とするデータに客観性を担保させ、異性間におけるマッチングの精度を向上させることができる。
【図面の簡単な説明】
【０００９】
本明細書において開示される実施形態の詳細な理解は、添付図面に関連して例示される以下の説明から得ることができる。
【図１】本発明の実施形態に係る結婚情報提供システムの概略を説明するための図である。
【図２】本発明の実施形態に係る結婚情報提供システムを構成するカード会社システムの機能ブロック図である。
【図３】結婚情報提供希望者のクレジットカードの利用履歴を示す図である。
【図４】業種マッチング部における処理を示す図である。
【図５】業種を細分化し、その段階に応じて設定されるマッチングポイントを示した図である。
【図６】結婚情報提供希望者の会員端末に提供される紹介対象者に関する情報を示す図である。
【図７】結婚情報を提供する処理の手順を示すフローチャートである。
【図８】マッチング処理部における処理の手順を示すフローチャートである。
【発明を実施するための形態】
【００１０】
以下、本発明の実施の形態について、詳細に説明する。図１は、本発明の実施形態に係る結婚情報提供システムの概略を説明するための図である。カード会社システム１０は、結婚情報提供システムを構成し、ブロードバンド回線等の所定の公衆通信ネットワークを介して、会員端末２０と接続される。なお、本発明の実施形態に係るマッチングシステムは、結婚情報提供システムの一部として構成される。
【００１１】
カード会社システム１０は、会員端末２０から結婚相手の情報の提供を希望する会員からのマッチング要求を受け付けると、その会員の設定した検索条件を充足する結婚相手を抽出し、さらにクレジットカードの利用履歴から相性の合う結婚相手を選択し、会員端末２０に提供する。会員端末２０は、会員が結婚相手の情報の提供を要求、結婚相手を検索する条件を設定、また結婚相手の情報を受け取るための端末であり、例えば、ＰＣ（Personal Computer）、タブレット、スマートフォン等である。
【００１２】
図２は、本発明の実施形態に係る結婚情報提供システムを構成するカード会社システム１０の機能ブロック図である。カード会社システム１０は、会員情報記憶部１０２、マッチング要求受付部１０４、検索条件取得部１０６、マッチング対象者抽出部１０８、カード利用履歴情報取得部１１０、マッチング処理部１１２、ソート処理部１１４、紹介対象者選択部１１６、紹介対象者提供部１１８を備える。なお、マッチング処理部１１２は、業種抽出部１２０、業種マッチング部１２２、マッチングポイント算出部１２４を備える。また、結婚情報提供システムの一部である、カード利用履歴情報取得部１１０、マッチング処理部１１２、紹介対象者選択部１１６は、本発明のマッチングシステムを構成する。さらに、以上の各部のうち、マッチング要求受付部１０４、検索条件取得部１０６、マッチング対象者抽出部１０８、カード利用履歴情報取得部１１０、マッチング処理部１１２、ソート処理部１１４、紹介対象者選択部１１６、紹介対象者提供部１１８は、カード会社システム１０のコンピュータにプログラムを読み取らせることにより生成される機能実現手段である。
【００１３】
会員情報記憶部１０２は、クレジットカード会員であって、結婚情報提供サービスに入会している会員の情報を記憶する。会員は、結婚情報提供サービスに入会するにあたり、クレジットカードの入会時に登録した情報以外に、「身長」、「体重」、「血液型」、「続柄」、「学歴」、「婚姻歴」、「写真」、「家族構成」等の個人情報、「趣味」及び「自己ＰＲ」を併せて登録する。なお、ここで、会員が登録する「趣味」に関する情報は、結婚情報の一部として、会員端末２０に提供されるものであり、マッチング処理において用いられるものではない。
【００１４】
マッチング要求受付部１０４は、会員端末２０より、結婚情報、即ち、条件及び相性の合う結婚相手の情報の提供を希望する会員（以下、結婚情報提供希望者という）からのマッチング要求を受け付ける。検索条件取得部１０６は、結婚情報提供希望者の設定した検索条件を取得する。検索条件は、結婚相手を検索するための条件のことであり、例えば、「年齢」、「地域」、「職業」、「年収」、「身長」、「体重」、「血液型」、「続柄」、「学歴」、「婚姻歴」等である。なお、結婚情報提供希望者の設定した検索条件は、カード会社システム１０において、その結婚情報提供希望者毎に記憶させることができる。
【００１５】
マッチング対象者抽出部１０８は、検索条件取得部１０６において取得された検索条件に基づいて、会員情報記憶部１０２から検索条件に適合する会員、即ち、マッチングの対象とする会員（以下、マッチング対象者という）を抽出する。カード利用履歴情報取得部１１０は、結婚情報提供希望者、及びマッチング対象者抽出部１０８により抽出されたマッチング対象者の各々に関して、過去半年以内のクレジットカードの利用履歴情報を取得する。なお、クレジットカードの利用履歴として取得する期間は、過去半年に限定されることはない。したがって、例えば、マッチングの精度を向上させるために、成婚に至ったケースから、成婚率を向上させる適切な期間を算定（逆算）し、その算定された期間をクレジットカードの利用履歴情報を取得する期間として設定することもできる。
【００１６】
マッチング処理部１１２は、クレジットカードの利用履歴に基づいて、結婚情報提供希望者とマッチング対象者とを照合し、マッチング対象者の各々に関して、結婚情報提供希望者との相性を評価する処理部であり、業種抽出部１２０、業種マッチング部１２２、マッチングポイント算出部１２４を備える。
【００１７】
業種抽出部１２０は、結婚情報提供希望者及びマッチング対象者の各々に関して、クレジットカードの利用履歴から、利用額の高い業種を抽出する。業種マッチング部１２２は、業種抽出部１２０により抽出した、結婚情報提供希望者の業種とマッチング対象者の業種とを照合し、業種が適合するか否か判定する。マッチングポイント算出部１２４は、業種マッチング部１２２において、結婚情報提供希望者の業種とマッチング対象者の業種とが適合したことを前提に、その業種に関して細分化した、各々の段階に応じて設定されるマッチングポイント（即ち、適合する度合いに応じて設定されるポイント）を付与し、結婚情報提供希望者とマッチング対象者との関係で、マッチングポイントの合計を算出する。なお、マッチング処理部１１２の具体的な処理に関しては、後述の図４、図５等を用いて後述する。
【００１８】
ソート処理部１１４は、マッチングポイント算出部１２４において算出されたマッチングポイントの総計に従って、マッチング対象者をマッチングポイントの高い順に並び替える。即ち、マッチング対象者を、結婚情報提供希望者と相性が合う順に並び替える（結婚情報提供希望者と相性が合う順に優先度を設定する）。
【００１９】
紹介対象者選択部１１６は、カード会社のコーディネータ又は結婚情報提供希望者により予め設定された紹介人数に従って、マッチングポイントの総計の高い順に紹介対象者を選択する。なお、本実施形態において、紹介人数は２名に設定されているものとする。また、紹介人数が設定されていない場合には、紹介対象者をマッチングポイントの高い順に（即ち、相性の良い順序に従って）、結婚情報提供希望者に紹介することもできる。紹介対象者提供部１１８は、紹介対象者選択部１１６により選択された紹介対象者を、結婚情報提供希望者に提供する。具体的には、紹介対象者提供部１１８は、結婚情報提供希望者の会員端末２０に、紹介対象者に関する情報を提供する。
【００２０】
図３は、結婚情報提供希望者のクレジットカードの利用履歴を示している。業種抽出部１２０は、図３に示すクレジットカードの利用履歴から、利用額の高い業種を抽出する。ここで、抽出する業種の数は、カード会社のコーディネータ又は結婚情報提供希望者により予め設定され、本実施形態では３つに設定されているものとする。また、業種抽出部１２０は、趣味・嗜好と関係のない業種（即ち、マッチング処理を実行する上で有用とならない業種）、例えば、電気料金、携帯電話料金等を除外した上で、業種を抽出することができる。
【００２１】
図３に示す例では、利用額の高い業種から順に「旅行」、「飲食」、「携帯電話料金」、「電気料金」、「映画・演劇」、「オンラインショッピング」、「ガス料金」となっている。この場合において、業種抽出部１２０は、結婚情報提供希望者の趣味・嗜好に関係する業種として「旅行」、「飲食」、「映画・演劇」を抽出する。業種抽出部１２０は、マッチング対象者の各々に対しても、結婚情報提供希望者と同様に、クレジットカードの利用履歴から、趣味・嗜好に関係する業種を抽出する。
【００２２】
図４は、業種マッチング部１２２における処理を示す図である。図４では、業種抽出部１２０により、結婚情報提供希望者のクレジットカードの利用履歴から抽出した業種「旅行」、「飲食」、「映画・演劇」のうち、業種「旅行」に関して、マッチング対象者のクレジットカードの利用履歴から抽出した業種と照合する例を示している。
【００２３】
図４において、マッチング対象者として、マッチング対象者Ａ、Ｂ、Ｃ、Ｄの４名が示されており、各々に関して、業種抽出部１２０により、マッチング対象者Ａは業種「旅行」、「家電製品」、「高速道路料金」、マッチング対象者Ｂは業種「飲食」、「旅行」、「スポーツ施設」、マッチング対象者Ｃは業種「高速道路料金」、「旅行」、「理容」、マッチング対象者Ｄは業種「家電製品」、「ファッション（衣服）」、「映画・演劇」が、利用額の高い業種として抽出されている。
【００２４】
業種マッチング部１２２は、結婚情報提供希望者の業種「旅行」とマッチング対象者Ａ、Ｂ、Ｃ、Ｄの業種とをマッチング対象者の各々に関して照合し、業種が適合するか否か判定する。図４に示す例において、マッチング対象者Ａ、Ｂ、Ｃに関して、業種抽出部１２０により業種「旅行」が抽出されていることから、業種マッチング部１２２は、結婚情報提供希望者の業種「旅行」とマッチング対象者Ａ、Ｂ、Ｃの業種「旅行」は適合するものと判定する。他方、業種マッチング部１２２は、マッチング対象者Ｄに関して、業種抽出部１２０により業種「旅行」が抽出されていないことから、結婚情報提供希望者の業種「旅行」とマッチング対象者Ｄの業種は適合しないものと判定する。
【００２５】
業種マッチング部１２２は、結婚情報提供希望者の業種「飲食」、「映画・演劇」に関しても、業種「旅行」と同様に、マッチング対象者Ａ、Ｂ、Ｃ、Ｄの業種と照合し、適合する否かを判定する。図４に示す例において、結婚情報提供希望者の業種「飲食」はマッチング対象者Ｂの業種と適合するものとして、また結婚情報提供希望者の業種「映画・演劇」はマッチング対象者Ｄの業種と適合するものとして判定される。
【００２６】
業種マッチング部１２２において、結婚情報提供希望者の業種とマッチング対象者の業種とが適合すると、マッチングポイント算出部１２４は、その業種に関して細分化した、各々の段階に応じて設定されるマッチングポイントを付与し、結婚情報提供希望者とマッチング対象者との関係で、マッチングポイントの総計を算出する。図５は、業種を細分化し、その段階に応じて設定されるマッチングポイントを示した図であり、業種として「旅行」をその例として示している。
【００２７】
図５において、業種「旅行」は、「国内」／「海外」、「北海道」・・・「東京都」・・・「沖縄県」／「北米」・・・「アジア」・・・「オセアニア」、さらに「札幌市」「旭川市」・・・「函館市」／「カナダ」「アメリカ」・・・「ニュージーランド」というように細分化され、さらに、その段階に応じて、マッチングポイントが設定されている。具体的には、「旅行」にはマッチングポイントとして「＋１」、「国内」／「海外」にはマッチングポイントとして「＋２」、「北海道」・・・「沖縄県」／「北米」・・・「オセアニア」にはマッチングポイントとして「＋３」、「札幌市」・・・「函館市」／「カナダ」・・・「ニュージーランド」にはマッチングポイントして「＋４」が設定されている。
【００２８】
また、ここで、結婚情報提供希望者は「フランス」に旅行した際にクレジットカードを利用したものとし、さらに、マッチング対象者Ａは「フランス」に、マッチング対象者Ｂは「アメリカ」に、マッチング対象者Ｃは「北海道（札幌市）」に旅行した際にクレジットカードを利用したものとする。なお、マッチング対象者Ｄに関して、業種「旅行」にクレジットカードを利用しておらず、前述のように、業種抽出部１２０により業種「旅行」が抽出されていないものとする。
【００２９】
マッチングポイント算出部１２４は、結婚情報提供希望者とマッチング対象者Ａとの関係で、「旅行」、「海外」、「ヨーロッパ」「フランス」と一致することから、マッチングポイントをその段階に応じて、「＋１」、「＋２」、「＋３」、「＋４」と付与し、マッチングポイントを「１０」として算出する。同様に、マッチングポイント算出部１２４は、マッチング対象者Ｂとの関係で、マッチングポイントを「＋１」、「＋２」と付与し、マッチングポイントを「３」として算出し、マッチング対象者Ｃとの関係で、マッチングポイントを「＋１」と付与し、マッチングポイントを「１」として算出する。
【００３０】
マッチングポイント算出部１２４は、結婚情報提供希望者に関して、業種抽出部１２０により抽出された業種「飲食」、「映画・演劇」に関しても、業種「旅行」と同様に、マッチング対象者Ａ、Ｂ、Ｃ、Ｄとの関係でマッチングポイントを算出する。マッチングポイント算出部１２４は、さらに、各業種（即ち、「旅行」、「飲食」、「映画・演劇」）に関して、マッチングポイントを算出すると、マッチング対象者Ａ、Ｂ、Ｃ、Ｄとの関係で、マッチングポイントの総計を算出する。ここで、結婚情報提供希望者との関係で、マッチングポイントの総計が、マッチング対象者Ａに関して「１０」、マッチング対象者Ｂに関して「１３」、マッチング対象者Ｃに関して「１」、マッチング対象者Ｄに関して「６」と算出されたものとする。
【００３１】
ソート処理部１１４は、マッチングポイント算出部１２４において算出されたマッチングポイントの総計に従って、マッチング対象者Ａ、Ｂ、Ｃ、Ｄをマッチングポイントの高い順に並び替える。この場合、ソート処理部１１４は、マッチング対象者Ａ、Ｂ、Ｃ、Ｄを、マッチングポイントの総計が「１３」であるマッチング対象者Ｂ、マッチングポイントの総計が「１０」であるマッチング対象者Ａ、マッチングポイントの総計が「６」であるマッチング対象者Ｄ、マッチングポイントの総計が「１」であるマッチング対象者Ｃの順に、結婚情報提供希望者と相性が合う順に並び替える。
【００３２】
紹介対象者選択部１１６は、予め設定された紹介人数である２名に従って、マッチングポイントの総計の高い順に、マッチング対象者Ｂ、マッチング対象者Ａを紹介対象者として選択する。紹介対象者提供部１１８は、マッチング対象者Ｂ、マッチング対象者Ａを、結婚情報提供希望者の会員端末２０に提供する。
【００３３】
図６は、結婚情報提供希望者の会員端末２０に提供される紹介対象者に関する情報を示す図である。図６に示すように、紹介対象者提供部１１８は、結婚情報提供希望者の会員端末２０の表示画面において、結婚情報提供希望者と相性が合う順（即ち、マッチングポイントの総計の高い順）に従って、表示画面の上から、マッチング対象者Ｂ、マッチング対象者Ａを表示させるように、紹介対象者に関する情報を提供する。
【００３４】
なお、図６に示す例では、結婚情報提供希望者の会員端末２０に、紹介対象者に関する情報として、「写真」、「年齢」、「地域」、「身長」、「体重」、「続柄」、「血液型」、「学歴」、「年収」、「職業」、「婚姻歴」、「趣味」、「自己ＰＲ」、「家族構成」等を提供している。また、この場合において、結婚情報提供希望者は、「趣味」として、紹介対象者が登録している「趣味」とは別に、業種抽出部１２０により抽出された、趣味・嗜好に関係する業種を「趣味」に準ずるものとして、表示させることもできる。したがって、図６に示す例において、結婚情報提供希望者は、「趣味」として、マッチング対象者Ｂに関して「飲食」、「旅行」、「スポーツ施設」、マッチング対象者Ａに関して「旅行」、「家電製品」、「高速道路料金」を表示させることもできる。
【００３５】
図７は、結婚情報を提供する処理の手順を示すフローチャートである。カード会社システム１０は、マッチング要求受付部１０４により、結婚情報提供希望者からのマッチング要求を受け付けると（Ｓ１０１）、図７に示す処理を開始する。カード会社システム１０は、検索条件取得部１０６により、結婚情報提供希望者の設定した検索条件を取得する（Ｓ１０２）。
【００３６】
カード会社システム１０は、マッチング対象者抽出部１０８により、検索条件取得部１０６において取得された検索条件に基づいて、会員情報記憶部１０２からマッチング対象者を抽出する（Ｓ１０３）。カード会社システム１０は、カード利用履歴情報取得部１１０により、結婚情報提供希望者、及びマッチング対象者抽出部１０８により抽出されたマッチング対象者の各々に関して、過去半年以内のクレジットカードの利用履歴情報を取得する（Ｓ１０４）。
【００３７】
カード会社システム１０は、マッチング処理部１１２により、クレジットカードの利用履歴に基づいて、結婚情報提供希望者とマッチング対象者とを照合し、マッチング対象者の各々に関して、結婚情報提供希望者との相性を評価する。即ち、マッチング処理を実行する（Ｓ１０５）。なお、マッチング処理部１１２における処理の手順は、図８を用いて後述する。
【００３８】
カード会社システム１０は、ソート処理部１１４により、結婚情報提供希望者とマッチング対象者との照合結果に基づいて、マッチング対象者を結婚情報提供希望者と相性が合う順に並び替える（Ｓ１０６）。カード会社システム１０は、紹介対象者選択部１１６により、予め設定された紹介人数に従って、結婚情報提供希望者と相性が合う順に、マッチング対象者を紹介対象者として選択する（Ｓ１０７）。カード会社システム１０は、紹介対象者提供部１１８により、結婚情報提供希望者の会員端末２０に、紹介対象者に関する情報を提供する（Ｓ１０８）。
【００３９】
図８は、マッチング処理部１１２における処理の手順を示すフローチャートであり、図７のステップＳ１０５における処理を詳細に示したものである。カード会社システム１０は、結婚情報提供希望者、及びマッチング対象者の各々に関して、クレジットカードの利用履歴から、利用額の高い業種を抽出する（Ｓ２０１）。
【００４０】
カード会社システム１０は、業種マッチング部１２２により、ステップＳ２０１において抽出した、結婚情報提供希望者の業種とマッチング対象者の業種とを照合し、業種が適合するか否か判定する（Ｓ２０２）。カード会社システム１０は、ステップＳ２０２において、結婚情報提供希望者の業種とマッチング対象者の業種とが適合したことを前提に、その業種に関して細分化した、各々の段階に応じて設定されるマッチングポイントを付与し、結婚情報提供希望者とマッチング対象者との関係で、マッチングポイントの合計を算出する（Ｓ２０３）。
【００４１】
以上、本発明の一実施形態について説明したが、本発明は上述の実施形態に限定されず、その技術的思想の範囲内において種々異なる形態にて実施されてよいことは言うまでもない。したがって、上述の実施形態では、クレジットカードの利用履歴のみに基づいて、結婚情報提供希望者とマッチング対象者との相性を評価する例を示しているが、個人情報とクレジットカードの利用履歴に基づいて、結婚情報提供希望者とマッチング対象者との相性を評価することもできる。例えば、血液型に関して、男性の血液型の各々と女性の血液型の各々との関係でマッチングポイントを設定し（一例として、Ａ型の女性との関係で、Ａ型の男性、Ｂ型の男性、Ｏ型の男性、ＡＢ型の男性の各々に対してマッチングポイントを設定し）、血液型におけるマッチングポイントを特定し、その特定されたマッチングポイントと、クレジットカードの利用履歴から算出されたマッチングポイントとを加算し（組み合わせて）、その総計に基づいて、結婚情報提供希望者とマッチング対象者との相性を評価することもできる。
【００４２】
また、本実施形態において、上述のように、結婚又は結婚を前提とした交際に導くマッチングシステムとして説明したが、本発明のマッチングシステムは、例えば、大学生等の未だ結婚を意識しない世代においても当然に適用することができ、マッチング希望者としての大学生等からのマッチング要求に基づいて、条件及び相性の合う相手を選択し、その選択した相手をマッチング希望者に提供することもできる。即ち、上述の結婚情報提供希望者を、マッチング希望者に読み替えることができる。
【００４３】
なお、本発明の範囲は、図示され、記載された例示的な実施形態に限定されるものではなく、本発明が目的とするものと均等な効果をもたらす、すべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画され得る。
【符号の説明】
【００４４】
１０    カード会社システム
２０    会員端末
１０２  会員情報記憶部
１０４  マッチング要求受付部
１０６  検索条件取得部
１０８  マッチング対象者抽出部
１１０  カード利用履歴情報取得部
１１２  マッチング処理部
１１４  ソート処理部
１１６  紹介対象者選択部
１１８  紹介対象者提供部
１２０  業種抽出部
１２２  業種マッチング部
１２４マッチングポイント算出部
【図１】
2018063535.tif 000003
【図２】
2018063535.tif 000004
【図３】
2018063535.tif 000005
【図４】
2018063535.tif 000006
【図５】
2018063535.tif 000007
【図６】
2018063535.tif 000008
【図７】
2018063535.tif 000009
【図８】
2018063535.tif 000010
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
マッチング希望者とマッチング対象者の各々に関して、所定の期間内におけるクレジットカードの利用履歴情報を取得するカード利用履歴情報取得手段と、
前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理手段と、
前記マッチング希望者との相性の良い順序に従って、前記マッチング対象者を紹介対象者として選択する紹介対象者選択手段と
を備え、
前記マッチング処理手段は、
前記マッチング希望者の前記クレジットカードの利用履歴情報と、前記マッチング対象者の前記クレジットカードの利用履歴情報の各々から、１または複数の利用額の高い業種を抽出する業種抽出手段と、
前記業種抽出手段により抽出された、前記マッチング希望者の前記１または複数の利用額の高い業種と、前記マッチング対象者の前記１または複数の利用額の高い業種とが適合するか否かを判定する業種マッチング手段と、
前記業種マッチング手段により、前記マッチング希望者の前記１または複数の利用額の高い業種と、前記マッチング対象者の前記１または複数の利用額の高い業種との少なくとも１つが適合したことを前提に、前記適合した少なくとも１つの業種をそれぞれ細分化し、細分化された段階に応じてそれぞれ傾斜的に設定されるマッチングポイントから、前記マッチング希望者と前記マッチング対象者との相性を評価するマッチングポイント算出手段と
を備えることを特徴とするマッチングシステム。
【請求項２】
前記マッチングポイント算出手段は、前記適合した少なくとも１つの業種のそれぞれに関して前記マッチングポイントを算出し、算出された前記マッチングポイントの総計を求めることによって、前記マッチング希望者と前記マッチング対象者の相性を評価することを特徴とする請求項１に記載のマッチングシステム。
【請求項３】
請求項１または請求項２のいずれか１項に記載のマッチングシステムと、
前記紹介対象者選択手段により選択された紹介対象者に関する情報を結婚情報として、前記マッチング希望者に提供する紹介対象者提供手段と
を備えることを特徴とする結婚情報提供システム。
【請求項４】
前記所定の期間が、成婚に至ったケースから、成婚率を向上させる適切な期間として逆算することにより算定されることを特徴とする請求項３に記載の結婚情報提供システム。
【請求項５】
前記紹介対象者提供手段は、前記１または複数の利用額の高い業種を前記結婚情報の趣味の項目として、各紹介対象者ごとに表示することを特徴とする請求項３または４に記載の結婚情報提供システム。
【請求項６】
コンピュータによって実行されるマッチング方法であって、
前記マッチング方法は、
カード利用履歴情報取得手段により、マッチング希望者とマッチング対象者の各々に関して、所定の期間内におけるクレジットカードの利用履歴情報を取得するカード利用履歴情報取得ステップと、
マッチング処理手段により、前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理ステップと、
紹介対象者選択手段により、前記マッチング希望者との相性の良い順序に従って、前記マッチング対象者を紹介対象者として選択する紹介対象者選択ステップと
を備え、
前記マッチング処理手段は、
前記マッチング希望者の前記クレジットカードの利用履歴情報と、前記マッチング対象者の前記クレジットカードの利用履歴情報の各々から、１または複数の利用額の高い業種を抽出する業種抽出手段と、
前記業種抽出手段により抽出された、前記マッチング希望者の前記１または複数の利用額の高い業種と、前記マッチング対象者の前記１または複数の利用額の高い業種とが適合するか否かを判定する業種マッチング手段と、
前記業種マッチング手段により、前記マッチング希望者の前記１または複数の利用額の高い業種と、前記マッチング対象者の前記１または複数の利用額の高い業種との少なくとも１つが適合したことを前提に、前記適合した少なくとも１つの業種をそれぞれ細分化し、細分化された段階に応じてそれぞれ傾斜的に設定されるマッチングポイントから、前記マッチング希望者と前記マッチング対象者との相性を評価するマッチングポイント算出手段と
を備えることを特徴とするマッチング方法。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
マッチング希望者とマッチング対象者の各々に関して、所定の期間内におけるクレジットカードの利用履歴情報を取得するカード利用履歴情報取得手段と、
前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理手段と、
前記マッチング希望者との相性の良い順序に従って、前記マッチング対象者を紹介対象者として選択する紹介対象者選択手段と
を備え、
前記マッチング処理手段は、
前記マッチング希望者の前記クレジットカードの利用履歴情報と、前記マッチング対象者の前記クレジットカードの利用履歴情報の各々から、１または複数の利用額の高い業種を抽出する業種抽出手段と、
前記業種抽出手段により抽出された、前記マッチング希望者の前記１または複数の利用額の高い業種と、前記マッチング対象者の前記１または複数の利用額の高い業種とが適合するか否かを判定する業種マッチング手段と、
前記業種マッチング手段により、前記マッチング希望者の前記１または複数の利用額の高い業種と、前記マッチング対象者の前記１または複数の利用額の高い業種との少なくとも１つが適合したことを前提に、前記適合した少なくとも１つの業種をそれぞれ細分化し、細分化された段階に応じてそれぞれ傾斜的に設定されるマッチングポイントから、前記マッチング希望者と前記マッチング対象者との相性を評価するマッチングポイント算出手段と
を備えることを特徴とするマッチングシステム。
【請求項２】
前記マッチングポイント算出手段は、前記適合した少なくとも１つの業種のそれぞれに関して前記マッチングポイントを算出し、算出された前記マッチングポイントの総計を求めることによって、前記マッチング希望者と前記マッチング対象者の相性を評価することを特徴とする請求項１に記載のマッチングシステム。
【請求項３】
請求項１または請求項２のいずれか１項に記載のマッチングシステムと、
前記紹介対象者選択手段により選択された紹介対象者に関する情報を結婚情報として、前記マッチング希望者に提供する紹介対象者提供手段と
を備えることを特徴とする結婚情報提供システム。
【請求項４】
前記所定の期間が、成婚に至ったケースから、成婚率を向上させる適切な期間として逆算することにより算定されることを特徴とする請求項３に記載の結婚情報提供システム。
【請求項５】
前記紹介対象者提供手段は、前記１または複数の利用額の高い業種を前記結婚情報の趣味の項目として、各紹介対象者ごとに表示することを特徴とする請求項３または４に記載の結婚情報提供システム。
【請求項６】
コンピュータによって実行されるマッチング方法であって、
前記マッチング方法は、
カード利用履歴情報取得手段により、マッチング希望者とマッチング対象者の各々に関して、所定の期間内におけるクレジットカードの利用履歴情報を取得するカード利用履歴情報取得ステップと、
マッチング処理手段により、前記マッチング希望者の前記クレジットカードの利用履歴情報と、前記マッチング対象者の前記クレジットカードの利用履歴情報とを照合し、前記マッチング対象者の各々に関して、前記マッチング希望者との相性を評価するマッチング処理ステップと、
紹介対象者選択手段により、前記マッチング希望者との相性の良い順序に従って、前記マッチング対象者を紹介対象者として選択する紹介対象者選択ステップと
を備え、
前記マッチング処理ステップは、
前記マッチング希望者の前記クレジットカードの利用履歴情報と、前記マッチング対象者の前記クレジットカードの利用履歴情報の各々から、１または複数の利用額の高い業種を抽出する業種抽出ステップと、
前記業種抽出ステップにより抽出された、前記マッチング希望者の前記１または複数の利用額の高い業種と、前記マッチング対象者の前記１または複数の利用額の高い業種とが適合するか否かを判定する業種マッチングステップと、
前記業種マッチングステップにより、前記マッチング希望者の前記１または複数の利用額の高い業種と、前記マッチング対象者の前記１または複数の利用額の高い業種との少なくとも１つが適合したことを前提に、前記適合した少なくとも１つの業種をそれぞれ細分化し、細分化された段階に応じてそれぞれ傾斜的に設定されるマッチングポイントから、前記マッチング希望者と前記マッチング対象者との相性を評価するマッチングポイント算出ステップと
を備えることを特徴とするマッチング方法。